(57)【要約】【課題】本発明は、低消費電力で、かつカードの消去性に優れたカードリーダを提供することを目的とする。【解決手段】本発明は、カードの搬送路と、カードを搬送路内で移動させる搬送手段と、搬送路内に存在するカードの位置を検出するカード位置検出手段と、カードに可視画像を形成すると共に、カードに形成された可視画像を消去する画像形成消去手段とを備えたカードリーダであって、搬送路にカードを外部から取り込んだことを検知して、画像形成消去手段に予備加熱を行う構成とした。【選択図】  図１
2004310180.tif 000002
【特許請求の範囲】
【請求項１】
カードの搬送路と、カードを前記搬送路内で移動させる搬送手段と、前記搬送路内に存在するカードの位置を検出するカード位置検出手段と、カードに可視画像を形成すると共に、カードに形成された可視画像を消去する画像形成消去手段とを備えたカードリーダであって、
前記搬送路にカードを外部から取り込んだことを検知して、前記画像形成消去手段に予備加熱を行う事を特徴とするカードリーダ。
【請求項２】
前記カード位置検出手段により、前記カードの搬送異常を検知して、実行中の前記画像形成消去手段への予備加熱を終了する事を特徴とする請求項１記載のカードリーダ。
【請求項３】
時間を計測するタイマー機能を設け、前記画像形成消去手段への予備加熱が一定時間経過したことを検知して、実行中の前記画像形成消去手段への予備加熱を終了する事を特徴とする請求項１，２いずれか１記載のカードリーダ。
【請求項４】
前記搬送路内に存在するカードにデータを記録する動作かカードからデータを再生する動作の少なくとも一方の動作を行うデータ記録再生手段を設け、前記カードへのデータ記録の異常か、前記カードからのデータ再生の異常かの少なくとも一方を検知して、実行中の前記画像形成消去手段への予備加熱を終了する事を特徴とする請求項１〜３いずれか１記載のカードリーダ。
【請求項５】
前記カードへデータを正常に記録できた事か、前記カードからデータが正常に再生できた事かの少なくとも一方を検知して、前記画像形成消去手段に、前記カードに可視画像の形成及び前記カードに形成された可視画像への消去が可能な温度まで、加熱を行う事を特徴とする請求項１〜４いずれか１記載のカードリーダ。
【請求項６】
前記画像形成消去手段によって、前記カードに可視画像の形成及び消去がなされた場合に、前記画像形成消去手段への加熱を終了する事を特徴とする請求項５記載のカードリーダ。
【発明の詳細な説明】
【０００１】
【発明の属する技術分野】
本発明は、カード等の情報記録媒体に、可視画像を形成、消去するカードリーダに関するものである。
【０００２】
【従来の技術】
従来から、カードはその携帯性に利便なことから、種々の用途で使用され、その種類も様々である。例えば、テレホンカード、乗車券等のプリペイドカード、定期券、回数券、ポイントカード、更に、銀行カード、キャッシュカード、クレジットカード、運転免許証等のＩＤカード、会員カード、身分証明書等が挙げられる。
【０００３】
また、これらのカードは、個人識別情報や残高、累積ポイント等の情報を記録・保持するため、磁気記録層、光記録層、或いはＩＣメモリ等に代表されるメモリ部を有している。これらのメモリ部に記録された情報は、専用のカードリーダで再生されるが、磁気記録層、光記録層、ＩＣメモリに記録された情報は不可視情報であるので、カードの持ち主がその記録情報を直接確認する事はできない。
【０００４】
そこで従来から、これら不可視の記録情報を可視的に表示する事がなされている。例えば、インクジェット、感熱転写、レーザービームプリンタ等の様々な印字手段によってカード表面に情報を印字したり、カードに予め感熱発色層を形成し感熱記録する等の追記型の表示がなされている。追記型の表示方法では、カード表面の表示領域の制約で、より多くの情報を表示できない。そこで最近では、書換可能な表示方法が採用されている。例えば、カードに液晶表示体を形成する場合や、加熱によって、繰り返し印字・消去が可能である熱可逆的材料を使用して表示する事もなされている。
【０００５】
更に、これらのカードの用途、情報記録方式、表示方法が様々であることに加えて、カード基材を構成する材料や、磁気ストライプ、ＩＣチップ等のメモリ部の位置、カードの大きさや厚み等の規格等も多種多様となっている。例えば、カード材料としては、ポリ塩化ビニル（ＰＶＣ）、ポリ塩化酢酸ビニル（ＰＶＣＡ）、ポリエチレンテレフタレート（ＰＥＴ）、ポリカーボネイト（ＰＣ）、生分解性材料等のプラスチックや紙、合成紙が使用されている。また、全ての識別カードに関するＪＩＳＸ６３０１や外部端子付きＩＣカードに関するＪＩＳＸ６３０３の規定では、厚さが０．７６ｍｍ±０．０８ｍｍである。一般には、０．２８ｍｍ厚の塩化ビニルシート２枚を積層し、この表裏に０．１ｍｍ厚の塩化ビニルシートを貼合わせた構成が知られている。更に、カードによっては、口座番号、有効期限や所有者氏名が、カード基材を物理的に隆起させて形成される、いわゆるエンボス加工も施されている。このようなカードばかりではなく、テレホンカードに代表されるプリペイドカード等は、カード厚みが０．２０〜０．２８ｍｍ程度の薄手のカードである。
【０００６】
このように現在カードは多種多様なものとなっている。そして、これらのカードから情報を読み取ったり（リード）、或いは、カードに対して情報を記録したり（ライト）、或いは、カードに表示する情報を書き換えたりする機能を有する装置がカードリーダである。
【０００７】
ところで、上述したように、カードの磁気記録層、光記録層、ＩＣメモリ等のメモリ部に記録・保持された個人識別情報や残高、累積ポイント等の不可視の記録情報を含め、その他種々の情報を可視的に表示する方法として、カードの表示部を繰り返し印字・消去が可能な熱可逆性材料によるリライト層で構成したカード（リライトカード）を用いて、このカードにサーマルヘッド等で印字を行って表示する方法がある。
【０００８】
このような従来のカードリーダの装置構成としては、磁気ヘッド、印字ヘッド及び消去ヘッドを備えたものである。そして、磁気記録層及びリライト層を備えたカードに対して、磁気ヘッドによって、カードの磁気記録層に磁気情報の記録及び／又は再生を行い、印字ヘッドによって、カードに設けられたリライト層を加熱して、可視的な画像を形成し、更に、消去ヘッドによって、カードに設けられたリライト層に形成された画像を消去すると言うものである。
【０００９】
また、印字ヘッドと消去ヘッドを個別に設けずに、一つの発熱抵抗体を設け、カードに設けられたリライト層を加熱して、オーバーライト記録することも行われている。このオーバーライト記録するカードリーダに関しては、（特許文献１）に開示されている。
【００１０】
【特許文献１】
特開平０５−８５０９号公報
【００１１】
【発明が解決しようとする課題】
しかしながら、従来のカードリーダは次のような課題があった。印字ヘッドと消去ヘッドを個別に設ける構成の場合では、熱容量の大きな消去ヘッドを用いるのでその消費電力が大きいと言う問題があった。また、印字ヘッドと消去ヘッドを独立運動させるための機構などを必要とし、カードリーダ自体を小型化する際の制約となっていた。更に、消去ヘッドの発熱量が大きいことも小型化の際の制約となっていた。
【００１２】
また、印字ヘッドと消去ヘッドを個別に設けずに、オーバーライト記録する構成の場合では、熱容量の小さな印字ヘッドを使用して画像の形成と同時に消去を行うので、熱容量の大きな消去ヘッドを個別に設ける構成と比較して画像の消去能力が著しく劣り、カード上に形成された所定の画像等を完全に消去するためには、カードリーダの設置環境やカードの保持状態などが著しく限定されると言う問題があった。
【００１３】
そこで、本発明は、上記従来の課題を解決するもので、低消費電力で、かつカードの消去性に優れたカードリーダを提供することを目的とする。
【００１４】
【課題を解決するための手段】
本発明は、カードの搬送路と、カードを搬送路内で移動させる搬送手段と、搬送路内に存在するカードの位置を検出するカード位置検出手段と、カードに可視画像を形成すると共に、カードに形成された可視画像を消去する画像形成消去手段とを備えたカードリーダであって、搬送路にカードを外部から取り込んだことを検知して、画像形成消去手段に予備加熱を行う構成とした。
【００１５】
【発明の実施の形態】
請求項１に記載の発明は、カードの搬送路と、カードを搬送路内で移動させる搬送手段と、搬送路内に存在するカードの位置を検出するカード位置検出手段と、カードに可視画像を形成すると共に、カードに形成された可視画像を消去する画像形成消去手段とを備えたカードリーダであって、搬送路にカードを外部から取り込んだことを検知して、画像形成消去手段に予備加熱を行う事を特徴とする。
【００１６】
請求項２に記載の発明は、請求項１において、カード位置検出手段により、カードの搬送異常を検知して、実行中の画像形成消去手段への予備加熱を終了する事を特徴とする。
【００１７】
請求項３に記載の発明は、請求項１，２において、時間を計測するタイマー機能を設け、画像形成消去手段への予備加熱が一定時間経過したことを検知して、実行中の画像形成消去手段への予備加熱を終了する事を特徴とする。
【００１８】
請求項４に記載の発明は、請求項１〜３において、搬送路内に存在するカードにデータを記録する動作かカードからデータを再生する動作の少なくとも一方の動作を行うデータ記録再生手段を設け、カードへのデータ記録の異常か、カードからのデータ再生の異常かの少なくとも一方を検知して、実行中の画像形成消去手段への予備加熱を終了する事を特徴とする。
【００１９】
請求項５に記載の発明は、請求項１〜４において、カードへデータを正常に記録できた事か、カードからデータが正常に再生できた事かの少なくとも一方を検知して、画像形成消去手段に、カードに可視画像の形成及びカードに形成された可視画像への消去が可能な温度まで、加熱を行う事を特徴とする。
【００２０】
請求項６に記載の発明は、請求項５において、画像形成消去手段によって、カードに可視画像の形成及び消去がなされた場合に、画像形成消去手段への加熱を終了する事を特徴とする。
【００２１】
（実施の形態１）
以下、本発明の一実施の形態について説明する。
【００２２】
図１は本発明の実施の形態１におけるカードリーダを示す模式側断面図である。
【００２３】
図１において、１はカードであり、２はカード１が挿入される挿入口、３はカード１が搬送される搬送路、４はカード１を搬送する搬送ローラである。５はデータ記録再生手段としての磁気ヘッド、６は磁気ヘッド５に対してカード１を押圧する磁気ヘッド押圧ローラである。また、７は画像形成消去手段としてのサーマルヘッドであり、８はサーマルヘッド７に対向するプラテンローラである。更に、９は発光素子、１０は受光素子であり、カード位置検出手段を構成している。
【００２４】
カード１には、熱可逆性材料等を設けたリライトカードが用いられ、磁気記録層も有している。リライトカードは、例えば所定の温度以上に加熱することで、可視的な像などを形成し（印字）、所定の温度範囲内にカード１の温度を所定時間加熱することで、その形成された像などを不可視にすること（消去）が可能な熱可逆性材料によるリライト層を有した構成となっている。
【００２５】
このカード１には、熱可逆性材料によるリライト層が用いられるが、その熱可逆性材料の例として、樹脂母材である高分子マトリックス中に、高級脂肪酸等の有機低分子物質を分散させ、温度に依存して透明状態と白濁状態とが可逆的に変化する可逆的加熱記録材料があげられ、更に、他の例として、発色剤と顕色剤との組み合わせを用いた可逆的熱発色性組成物があげられる。そして、これらの材料や組成物を適宜選択し、カードに直接塗布して被膜を形成するか、或いは、材料や組成物が塗布されたシートやラベルを貼付して用いることができ、カード１に表示部を形成することができる。これら熱可逆性材料を用いた表示部は、所定の温度以上で発色し、特定の温度範囲をある程度保持すれば消色するものである。
【００２６】
なお、カード１は、図１中上側（サーマルヘッド７側）にリライト層を、図１中下側（磁気ヘッド５側）に磁気記録層をそれぞれ有している。
【００２７】
カード１は挿入口２から挿入され、挿入口２の近傍に設けられたカード位置検出手段としての発光素子９及び受光素子１０によって、カード１が挿入された事が検出される。
【００２８】
そして、カード１は、搬送路３を複数の搬送ローラ４により搬送される。搬送ローラ４はローラ対を構成し、カード１を挟み込んでカード１を引き込み、送り出す動作を行うものであり、ローラ対の内、一方のローラが駆動し、他方のローラが連れ回るように構成されている。
【００２９】
また、磁気ヘッド５は、カード１に磁気的な情報を記録か又は再生する動作の少なくとも一方の動作を行う。この時、カード１は、磁気ヘッド５及びこれに対向する磁気ヘッド押圧ローラ６によって挟み込まれ、カード１は一定速度で搬送され、カード１の磁気記録層に磁気情報の記録及び／又は再生がなされる。
【００３０】
サーマルヘッド７は、カード１に設けられたリライト層を加熱して、可視的な画像を形成すると共に、不要な画像を消去するものであり、いわゆるオーバーライトを行う。サーマルヘッド７は、発熱抵抗体素子が一画素を形成し、この発熱抵抗体素子群を備える。
【００３１】
このサーマルヘッド７について更に詳しく説明する。図２は本発明の実施の形態１におけるサーマルヘッドを示す斜視図である。図２において、１１はセラミックベース、１２は断熱グレース層、１３は発熱抵抗体素子を示し、１４は個別電極、１５は共通電極である。また、１６はサーミスタを示している。
【００３２】
図２に示すように、サーマルヘッド７は、セラミックなどの断熱特性に優れた材料により形成されるセラミックベース１１の端面に、セラミックベース１１よりもさらに断熱特性に優れるガラスやシリカからなる５０〜１００μｍの厚みの断熱グレース層１２が形成されている。そして、断熱グレース層１２の表面に発熱抵抗体素子１３を備えている。この発熱抵抗体素子１３には、個別電極１４と共通電極１５が接続され、各発熱抵抗体素子１３が制御される。また、発熱抵抗体素子１３は幅方向（カード１の幅方向であり、カード１の搬送方向と略垂直な方向）に複数形成され、発熱抵抗体素子群をなしている。更に、セラミックベース１１には、セラミックベース１１の温度を測定するためのサーミスタ１６が接合されている。
【００３３】
次に、本発明の実施の形態１におけるカードリーダの印字・消去の処理手順について図１〜図４を用いて説明する。
【００３４】
ここで、図３は本発明の実施の形態１における印字・消去の処理手順を示すフローチャートであり、図４は本発明の実施の形態１におけるカード処理開始から完了までのサーマルヘッドの温度変化を示すグラフである。なお、図４において、（ａ）はセラミックベース１１の温度であり、（ｂ），（ｃ）は発熱抵抗体素子１３の温度である。（ｂ）は印字温度、（ｃ）は消去温度に相当する。
【００３５】
図３に示すように、印字・消去の処理手順（１）〜（８）は次の通りである。
【００３６】
（１）カード挿入検知
まず、挿入口２からカード１が挿入されると、制御部（図示せず）は、挿入口２の近傍に配置された発光素子９と受光素子１０との組み合わせからなるカード位置検出手段により、カード１が挿入されたことを検知し（カード挿入検知）、タイマー動作を開始して（タイマーセット）、サーマルヘッド７の予備加熱を開始する（予備加熱開始）。サーマルヘッド７を加熱している間は、サーマルヘッド７に取り付けられたサーミスタ１６によって温度を計測する。なお、発熱抵抗体素子１３の温度は、予め、付与するエネルギーに対応する温度を測定しておき、付与エネルギーから算出して求める。
【００３７】
（２）磁気データリード
その後、カード１を搬送ローラ４で、カードリーダの後端部側へ搬送する。カード１が磁気ヘッド５の上を通過すると、カード１の磁気記録層に記録された磁気データが磁気ヘッド５で読み取られる（磁気データリード）。この時、カード１の磁気記録層に記録された磁気データが不正なデータであった場合、或いは、磁気データを読み取れなかった場合（リードエラー）、更に、カード１が搬送路３内で搬送不良となった場合、異常な動作と判断してサーマルヘッド７への通電を停止する（予備加熱停止）。
【００３８】
（３）キー入力待ち
読み取ったデータが正常な場合には、読み取った磁気データに応じた次の処理をカードリーダに設けられたディスプレイ部（図示せず）に表示する。この時、カードリーダはキー入力待ち状態にある。操作員は、そのディスプレイ部の表示に従い、カードリーダに設けられたキーパッド（図示せず）から新たなデータを入力する。この時、そのデータ入力が完了するまでの間も、サーマルヘッド７の温度は一定の温度に保たれているが、データ入力が、正常処理と判断される所定の時間内に完了しない場合、制御部は、所定時間を測定するタイマー機能を有しており、異常な動作と判断してサーマルヘッド７への通電を停止する（予備加熱停止）。なお、このデータ入力は外部接続機器から行うこともできる。
【００３９】
（４）磁気データライト・リード
データの入力が正常に完了した場合には、カード１を逆転搬送してカードリーダの挿入口２側に移動し、磁気ヘッド５上を通過させ、磁気ヘッド５でカード１の磁気記録層に更新された新たな磁気データを書き込む（磁気データライト）。そして更に、カード１を逆転搬送して後端部側に移動し、再度磁気ヘッド５上を通過させ、その時にカード１に記録したデータを読み取り（磁気データリード）、データの記録ミスが無いかどうかチェックする。この時、読み取ったデータが正常でなかった場合（ライトエラー）、また、カード１が搬送路３内で搬送不良となった場合、異常な動作と判断してサーマルヘッド７への通電を停止する（予備加熱停止）。
【００４０】
（５）本加熱開始
正常に磁気データが書き込まれた場合、サーマルヘッド７の本加熱を開始し、サーマルヘッド７の温度は、短時間で設定印字消去温度に達する。
【００４１】
（６）消去・印字開始
そして、カード１はサーマルヘッド７よりも後端部側の位置まで搬送される。次いで、カード１を挿入口２側の方向へ移動させ、サーマルヘッド７にて、カード１に既に印字されている画像を消去すると同時に、カード１に所定の画像等を印字する。
【００４２】
即ち、カード１のリライト層（可視画像表示領域）において、消去すべき（印字を要しない）領域には、その領域に対応する画素の発熱抵抗体素子１３に消去用のエネルギーを与え、印字すべき領域には、その領域に対応する画素の発熱抵抗体素子１３に印字用のエネルギーを与える。なお、消去すべき（印字を要しない）領域に対しては、そこに既に印字が行われているか否かは区別せず、その領域に対応する画素の発熱抵抗体素子１３に消去用のエネルギーを与える。
【００４３】
（７）加熱停止
消去・印字動作が終了すると、サーマルヘッド７への通電を停止する。
【００４４】
（８）カード排出
一連の処理が終了した後、カード１をカードリーダ装置外へ排出する。
【００４５】
このように、予備加熱を行うことで、あらかじめサーマルヘッド７全体の温度を一定の温度とすることができ、カード１の変形や、環境の変化などによる消去不良の発生を低減することができる。
【００４６】
そして、サーマルヘッド７の加熱を他の処理と平行して行うことでサーマルヘッド７の温度上昇に要する時間を削減することができ、カード１の挿入から排出までの全体の処理時間を短縮することができる。
【００４７】
ここで、図５は本発明の実施の形態１における印字時の印加パルス及びサーマルヘッドの温度と時間との関係を示すグラフであり、図６は本発明の実施の形態１における予備加熱時の印加パルス及びサーマルヘッドの温度と時間との関係を示すグラフである。なお、図５、図６において、（１）はサーマルヘッド７の表面温度（発熱抵抗体素子１３の温度）であり、（２）は印加パルスを示す。
【００４８】
図５、図６に示すように、予備加熱時の印加パルスは、印字時の印加パルスよりも短い周期として、予備加熱時の最大温度を印字時の最大温度よりも抑制している。このようにすることで、予備加熱時におけるサーマルヘッド７の発熱抵抗体素子１３へのダメージを小さくすることができ、耐久性を向上させることができる。
【００４９】
更に、図７（ａ）は本発明の実施の形態１におけるサーマルヘッドを示す正面図であり、図７（ｂ）は本発明の実施の形態１における印字時の印加パルスと時間との関係を示すグラフである。なお、図７（ａ）は図２におけるサーマルヘッド７を下方から見た状態を示す。
【００５０】
予備加熱時では、図７（ａ）、図７（ｂ）に示すように、サーマルヘッド７の発熱抵抗体素子１３に与えられる印加パルスは、隣接する発熱抵抗体素子１３において、そのパターンが異なっていることが好ましい。この場合、奇数、偶数で異ならせて、パルスパターンが一致しないようにしている。
【００５１】
これは、隣接する発熱抵抗体素子１３に同じパルスパターンを与えると、相乗効果で発熱抵抗体素子１３が高温となり、少なくとも熱のダメージを受ける。そこで、このように隣接する発熱抵抗体素子１３でパルスパターンをずらすことにより、予備加熱時におけるサーマルヘッド７の発熱抵抗体素子１３へのダメージを小さくすることができ、耐久性を向上させることができる。
【００５２】
また、上述した例では、（５）本加熱開始と（６）消去・印字開始は略同時に行う場合で説明したが、図８に示すように、（５）本加熱開始と（６）消去・印字開始の間にある程度の時間を設定し、緩やかに温度を上昇させてもよい。この場合にも、サーマルヘッド７の発熱抵抗体素子１３へのダメージを小さくすることができ、耐久性を向上させることができる。なお、図８は本発明の実施の形態１におけるカード処理開始から完了までのサーマルヘッドの温度変化を示すグラフである。
【００５３】
以上のように本発明の実施の形態１について説明したが、これに限定されるものではなく、種々の変形が可能である。
【００５４】
本実施の形態１では、カード位置検出手段、例えば、発光素子９及び受光素子１０を挿入口２近傍に設けているが、その他にも、図示しないカード位置検出手段が、必要に応じて搬送路３内に適宜配置されていてもよい。
【００５５】
また、カードリーダの装置構成において、サーマルヘッド７は搬送路３に対して、ソレノイド等の駆動装置によって出没自在とすることによって、カード１に消去・印字を行う場合のみカード１と接触し、磁気ヘッド５による読み取りや記録時に、カード１の搬送を阻害することがない。また、ソレノイド等の駆動装置によって、サーマルヘッド７をカード１に対して押圧し、圧着できるので、確実な消去・印字を行うことができる。
【００５６】
更に、本実施の形態１では、磁気ストライプ等の磁気記録層を有するカード１を使用し、カード１からデータを読み出すかカード１にデータを記録する少なくとも一つの動作を行うデータ記録再生部として、磁気ヘッド５を用いたが、他のデータ記録再生部としては、磁気ヘッド５以外に光学的にデータを記録か再生の少なくとも一方を行う光学ヘッドを用いても良く、その場合には、カード１には光記録層、光ストライプやバーコード等が設けられる。
【００５７】
また、カード１が内部にＩＣを搭載し、カード１の表面にＩＣと接続された電極を有した、いわゆる接触式のＩＣカードを用いる場合は、カードリーダにＩＣリードユニットを設ければ良い。なお、カード１が内部にＩＣと無線でデータの授受を行うことができるアンテナ（コイルやコンデンサ）を有したいわゆる非接触ＩＣカードの場合には、カードリーダのＩＣリードユニットは、コイル状のアンテナや容量を発生させる部材を設けた構成となる。
【００５８】
更に、カードリーダ内部には、モータを駆動させて制御し、磁気ヘッド５、サーマルヘッド７等の記録再生の制御命令を出力するＣＰＵ等で構成される制御部や、サーマルヘッド７の画像形成消去データ（印字消去データ）や磁気ヘッド５で記録再生されるデータを記憶するデータメモリ部等、カードリーダを駆動し制御するために必要な回路や装置、更に、これらの装置に電力を供給する電源装置等が設けられているのは言うまでもない。
【００５９】
また、ＰＣ（パーソナルコンピュータ）、ＰＯＳ端末、印字装置等の外部接続機器に接続（ネットワーク接続を含む）する為のインターフェイス等も必要に応じて設けられる。更に、図示はしていないが、カードリーダに、テンキーやファンクションキー、液晶表示部等の操作パネルを設け、カードリーダへの処理入力を行うことができるのは言うまでもない。
【００６０】
【発明の効果】
本発明は、カードがカードリーダ内に取り込まれた場合のみサーマルヘッドへの通電を行うことで、カードリーダの消費電力を低くすることができ、消去品質を安定させることができる。また、カード排出までの処理時間を短縮することができる。さらに、カード上のデータが読み取れない場合、カードが搬送不良となった場合等、異常処理と判断される場合に自動的にサーマルヘッドへの通電を停止する機能を付加することで、サーマルヘッドの温度低下の待ち時間が減り、メンテナンスを容易に行うことができる。
【００６１】
よって、種々のカードに対応が可能であり、低消費電力で、カード処理時間が短く、メンテナンスが容易で、かつカードの消去性に優れたカードリーダを提供することができる。
【図面の簡単な説明】
【図１】本発明の実施の形態１におけるカードリーダを示す模式側断面図
【図２】本発明の実施の形態１におけるサーマルヘッドを示す斜視図
【図３】本発明の実施の形態１における印字・消去の処理手順を示すフローチャート
【図４】本発明の実施の形態１におけるカード処理開始から完了までのサーマルヘッドの温度変化を示すグラフ
【図５】本発明の実施の形態１における印字時の印加パルス及びサーマルヘッドの温度と時間との関係を示すグラフ
【図６】本発明の実施の形態１における予備加熱時の印加パルス及びサーマルヘッドの温度と時間との関係を示すグラフ
【図７】（ａ）本発明の実施の形態１におけるサーマルヘッドを示す正面図
（ｂ）本発明の実施の形態１における印字時の印加パルスと時間との関係を示すグラフ
【図８】本発明の実施の形態１におけるカード処理開始から完了までのサーマルヘッドの温度変化を示すグラフ
【符号の説明】
１  カード
２  挿入口
３  搬送路
４  搬送ローラ
５  磁気ヘッド
６  磁気ヘッド押圧ローラ
７  サーマルヘッド
８  プラテンローラ
９  発光素子
１０  受光素子
１１  セラミックベース
１２  断熱グレース層
１３  発熱抵抗体素子
１４  個別電極
１５  共通電極
１６  サーミスタ
【図１】
2004310180.tif 000003
【図２】
2004310180.tif 000004
【図３】
2004310180.tif 000005
【図４】
2004310180.tif 000006
【図５】
2004310180.tif 000007
【図６】
2004310180.tif 000008
【図７】
2004310180.tif 000009
【図８】
2004310180.tif 000010